(57)【要約】【課題】  冬、室内で、寒いけれど、半天や、綿入りのオーバーズボンを履くほどの寒さでもない。そんなときに、保温着を着ないで台所仕事等をしていると、知らないうちに体が冷えていることがある。また、冬、室内で、寒い時、半天を着て、しかも綿入りのオーバーズボンや、保温着のロングスカートを履いたりしての台所仕事等は、着膨れであったり、膝が曲がりにくかったりして、身動きに不便を感じる。【課題を解決するための手段】  ウエストから膝までのたけの、スカートタイプの、裾をゴムひもでしぼることができるオーバースカートを考案した。布地は、内側は温かく、外側は風を通しにくいものを用いる。温かい布地を２枚用い、間に風を通しにくいものを使うと、リバーシブルを楽しむこともできる。ウエスト部分は、総ゴムにするか、ベルトタイプにするか、ベルトの一部をゴム使用にする。【選択図】図１
2005200815.tif 000002
【特許請求の範囲】
【請求項１】
主に、腰部を保温するスカートタイプの保温着で、ウエストから膝までのたけとする。中に溜まった温かい空気が逃げないように、裾周りをゴムひもでしぼることができるようにする。布地は、内側は温かく、外側は風を通しにくいものを用いる。温かい布地を２枚用い、間に風を通しにくいものを使うと、リバーシブルを楽しむこともできる。ウエスト部分は、総ゴムにするか、ベルトタイプにするか、ベルトの一部をゴム使用にする。
【発明の詳細な説明】
【技術分野】
【０００１】腰部を保温する保温着に関する
【背景技術】
【０００２】  ロングスカートタイプのオーバースカートはあるが、膝たけていどの、裾をゴムひもでしぼることができるオーバースカートはないように思う。
特願平５−１７９７４７
特願平５−１７９７４８
この特願平５−１７９７４７と、特願平５−１７９７４８のオーバースカートは、裾をゴムひもでしぼることはしないので、別のものと考える。
【発明が解決しようとする課題】
【０００３】  冬、室内で、寒いけれど、半天や、綿入りのオーバーズボンを履くほどの寒さでもない。そんなときに、保温着を着ないで台所仕事等をしていると、知らないうちに体が冷えていることがある。また、冬、室内で、寒い時、半天を着て、しかも綿入りのオーバーズボンや、保温着のロングスカートを履いたりしての台所仕事等は、着膨れであったり、膝が曲がりにくかったりして、身動きに不便を感じる。
【課題を解決するための手段】
【０００４】  ウエストから膝までのたけの、スカートタイプの、裾をゴムひもでしぼることができるオーバースカートを考案した。
【０００５】    市販されている保温着の中には、外側は温かそうな布地を用い、内側の布地は、意外と温かくないものが多い。そうではなく、布地は、内側は温かく、外側は風を通しにくいものを用いる。温かい布地を２枚用い、間に風を通しにくい布地を使うと、リバーシブルを楽しむこともできる。
【０００６】  ウエスト部分は、総ゴムで体にフィットさせる。布地が厚い場合は、総ゴムにすると体になじみにくいので、ウエスト部分は、ベルトタイプにしてもよい。ベルトの一部をゴム使用にして、ウエスト部分にフィットさせるようにしてもよい。
【０００７】  ベルトの端どおしは、体の前でしっかりと、十分な長さを重ねあわす。また、体の前で、スカート部分もスカートたけの上４分の３くらいは、ベルトと同じように、十分に重ねあわすよう、布地をたっぷりと使う。ファスナーは使わないで、その部分は、スナップ１個を使って、止めるようにする。着脱は、腰周りより広い空間を使って着脱できるよう、スカートのたけの下４分の１くらいだけを重ねて縫う。一番下のスカートのゴムひもを通す部分は、一周りでゴムを通せるようにする。
【発明の効果】
【０００８】  冬、室内で、オーバーズボンや、保温タイプのロングスカートを履いていても、下半身は保温できるが、この、裾をゴムひもでしぼることができるオーバースカートは、オーバーズボンや、保温タイプのロングスカートに比べ、ウエストから膝までのたけなので、膝を曲げやすく、下半身を使う動作の一つ一つが楽である。
【０００９】  裾をゴムひもでしぼるので、従来の保温タイプのロングスカートに比べて、温かい空気が逃げないので、太もものあたりが従来の保温タイプのロングスカートより温かい。また、オーバーズボンより腰周りにやや多めに空気を含むので、腰周りは、オーバーズボンより温かい。
【００１０】  内側に毛等の温かいものを用い、外側に綿等の風を通しにくいものを用いることにより、保温する力が強い。
【図面の簡単な説明】
【図１】  スラックスの上に、裾をゴムひもでしぼることができる、膝までの、保温のための、オーバースカートを着用した図。なお、ウエストは総ゴムで、たけはウエストから膝まで
【図２】  裾をゴムひもでしぼることができる、膝までの、保温のための、オーバースカート。ただし、ウエストはベルトタイプで、一部にゴムを使用。
【図３】  温かい布２枚の間に風を通しにくい布を入れ、リバーシブルにして使う場合の断面図
【図１】
2005200815.tif 000003
【図２】
2005200815.tif 000004
【図３】
2005200815.tif 000005
【手続補正書】
【提出日】平成16年2月27日(2004.2.27)
【手続補正１】
【補正対象書類名】図面
【補正対象項目名】図２
【補正方法】変更
【補正の内容】
【図２】
2005200815.tif 000006
【手続補正２】
【補正対象書類名】図面
【補正対象項目名】図４
【補正方法】追加
【補正の内容】
【図４】
2005200815.tif 000007
【手続補正３】
【補正対象書類名】明細書
【補正対象項目名】図４
【補正方法】追加
【補正の内容】
【図４】  巻きスカート風の、１枚布になるように仕上げた保温用オーバースカート。裾周りの一部をゴムひもで絞ることができるようにする。【手続補正書】
【提出日】平成16年5月28日(2004.5.28)
【手続補正１】
【補正対象書類名】手続補正書
【補正対象項目名】手続補正３
【補正方法】変更
【補正の内容】
【手続補正３】
【補正対象書類名】明細書
【補正対象項目名】全文
【補正方法】変更
【補正の内容】
【発明の詳細な説明】
【技術分野】
【０００１】腰部を保温する保温着に関する
【背景技術】
【０００２】  ロングスカートタイプのオーバースカートはあるが、膝たけていどの、裾をゴムひもでしぼることができるオーバースカートはないように思う。
特願平５−１７９７４７
特願平５−１７９７４８
この特願平５−１７９７４７と、特願平５−１７９７４８のオーバースカートは、裾をゴムひもでしぼることはしないので、別のものと考える。
【発明が解決しようとする課題】
【０００３】  冬、室内で、寒いけれど、半天や、綿入りのオーバーズボンを履くほどの寒さでもない。そんなときに、保温着を着ないで台所仕事等をしていると、知らないうちに体が冷えていることがある。また、冬、室内で、寒い時、半天を着て、しかも綿入りのオーバーズボンや、保温着のロングスカートを履いたりしての台所仕事等は、着膨れであったり、膝が曲がりにくかったりして、身動きに不便を感じる。
【課題を解決するための手段】
【０００４】  ウエストから膝までのたけの、スカートタイプの、裾をゴムひもでしぼることができるオーバースカートを考案した。
【０００５】    市販されている保温着の中には、外側は温かそうな布地を用い、内側の布地は、意外と温かくないものが多い。そうではなく、布地は、内側は温かく、外側は風を通しにくいものを用いる。温かい布地を２枚用い、間に風を通しにくい布地を使うと、リバーシブルを楽しむこともできる。
【０００６】  ウエスト部分は、総ゴムで体にフィットさせる。布地が厚い場合は、総ゴムにすると体になじみにくいので、ウエスト部分は、ベルトタイプにしてもよい。ベルトの一部をゴム使用にして、ウエスト部分にフィットさせるようにしてもよい。
【０００７】  ベルトの端どおしは、体の前でしっかりと、十分な長さを重ねあわす。また、体の前で、スカート部分もスカートたけの上４分の３くらいは、ベルトと同じように、十分に重ねあわすよう、布地をたっぷりと使う。ファスナーは使わないで、その部分は、スナップ１個を使って、止めるようにする。着脱は、腰周りより広い空間を使って着脱できるよう、スカートのたけの下４分の１くらいだけを重ねて縫う。一番下のスカートのゴムひもを通す部分は、一周りでゴムを通せるようにする。
【発明の効果】
【０００８】  冬、室内で、オーバーズボンや、保温タイプのロングスカートを履いていても、下半身は保温できるが、この、裾をゴムひもでしぼることができるオーバースカートは、オーバーズボンや、保温タイプのロングスカートに比べ、ウエストから膝までのたけなので、膝を曲げやすく、下半身を使う動作の一つ一つが楽である。
【０００９】  裾をゴムひもでしぼるので、従来の保温タイプのロングスカートに比べて、温かい空気が逃げないので、太もものあたりが従来の保温タイプのロングスカートより温かい。また、オーバーズボンより腰周りにやや多めに空気を含むので、腰周りは、オーバーズボンより温かい。
【００１０】  内側に毛等の温かいものを用い、外側に綿等の風を通しにくいものを用いることにより、保温する力が強い。
【図面の簡単な説明】
【００１１】
【図１】  スラックスの上に、裾をゴムひもでしぼることができる、膝までの、保温のための、オーバースカートを着用した図。なお、ウエストは総ゴムで、たけはウエストから膝まで
【図２】  裾をゴムひもでしぼることができる、膝までの、保温のための、オーバースカート。ただし、ウエストはベルトタイプで、一部にゴムを使用。
【図３】  温かい布２枚の間に風を通しにくい布を入れ、リバーシブルにして使う場合の断面図
【図４】  巻きスカート風の、１枚布になるように仕上げた保温用オーバースカート。裾周りの一部をゴムひもで絞ることができるようにする。
【符号の説明】
【００１２】１    ゴムひも
２    カギホックまたは、ボタン
３    カギホックまたは、ボタンホール
４    スナップ
５    風を通しにくい布
６    温かい布